(57)【要約】      （修正有）【課題】永久磁石同士の吸引力および反発力により流体に不規則な回転渦を発生させることにより装飾性を高める装飾装置を提供する。【解決手段】上部筐体１００と下部筐体２００とからなり、上部筐体１００が透明なケースからなり、内部が流体で満たされ、流体内にいずれかの面に永久磁石を備えた多面体１１０を有し、下部筐体２００内に、永久磁石と永久磁石を支持するシャフトとシャフトを回転自在に支持する保持部材とを備える。【選択図】図１
0003164058.tif 000002
【実用新案登録請求の範囲】
【請求項１】
上部筐体と下部筐体とからなり、
前記上部筐体が透明なケースからなり、該内部が流体で満たされ、該流体内にいずれかの面に永久磁石を備えた多面体を有し、
前記下部筐体内に、永久磁石と該永久磁石を支持するシャフトと該シャフトを回転自在に支持する支持部材とを備えたことを特徴とする装飾装置。
【請求項２】
前記流体内に装飾体を備えたことを特徴とする請求項１に記載の装飾装置。
【請求項３】
前記多面体の各面の外側に向けられた永久磁石の極性がＮ極、Ｓ極を混在して配置されていることを特徴とする請求項１または請求項２に記載の装飾装置。
【請求項４】
前記流体は、前記多面体が磁力により回転可能な粘度であることを特徴とする請求項１から請求項３のいずれかに記載の装飾装置。
【請求項５】
前記下部筐体内に設けられた永久磁石が、Ｓ極とＮ極とを積層した構造であることを特徴とする請求項１から請求項４のいずれかに記載の装飾装置。
【請求項６】
前記多面体が立方体であることを特徴とする請求項１から請求項４のいずれかに記載の装飾装置。
【請求項７】
前記多面体が直方体であることを特徴とする請求項１から請求項４のいずれかに記載の装飾装置。
【請求項８】
前記シャフトの一端に設けられた第１の歯車と該第１の歯車と噛合う第２の歯車と該第２の歯車を回転させるモータと該モータに電力を供給する電源と電源の供給をコントロールするスイッチとを備えたことを特徴とする請求項１から請求項４のいずれかに記載の装飾装置。
【請求項９】
前記電源からの電力供給量をコントロールする制御手段を備えたことを特徴とする請求項８に記載の装飾装置。
【考案の詳細な説明】
【技術分野】
【０００１】
本考案は、永久磁石同士の吸引力および反発力により流体に不規則な回転渦を発生させることにより装飾性を高めた装飾装置に関する。
【背景技術】
【０００２】
従来より、永久磁石の磁力を利用して遊動する玩具（例えば、特許文献１参照）やセンサの感知により動作する玩具が知られている。
【先行技術文献】
【特許文献】
【０００３】
【特許文献１】特開昭５５−１０１２８２号公報
【考案の概要】
【考案が解決しようとする課題】
【０００４】
しかしながら、上述の技術では、その動きが単調であり、面白みに欠け、ユーザをすぐに飽きさせてしまうという問題があった。
【０００５】
そこで、本考案は、上述の課題に鑑みてなされたものであり、永久磁石同士の吸引力および反発力により流体に不規則な回転渦を発生させることにより装飾性を高めた装飾装置を提供することを目的とする。
【課題を解決するための手段】
【０００６】
本考案は、上記の課題を解決するために、以下の事項を提案している。なお、理解を容易にするために、本考案の実施形態に対応する符号を付して説明するが、これに限定されるものではない。
【０００７】
（１）本考案は、上部筐体（例えば、図１の上部筐体１００に相当）と下部筐体（例えば、図１の下部筐体２００に相当）とからなり、前記上部筐体が透明なケースからなり、該内部が流体で満たされ、該流体内にいずれかの面に永久磁石を備えた多面体（例えば、図１の多面体１１０に相当）を有し、前記下部筐体内に、永久磁石（例えば、図３の永久磁石２１０に相当）と該永久磁石を支持するシャフト（例えば、図３のシャフト２２０に相当）と該シャフトを回転自在に支持する保持部材（例えば、図３の保持部材２３０に相当）と、を備えたことを特徴とする装飾装置を提案している。
【０００８】
この考案によれば、上部筐体が透明なケースからなり、内部が流体で満たされ、流体内にいずれかの面に永久磁石を備えた多面体を有し、下部筐体内に、永久磁石と永久磁石を支持するシャフトとシャフトを回転自在に支持する支持部材とを備えている。したがって、下部筐体内の永久磁石が回転することにより、多面体のいずれかの面に備えられた永久磁石との間に吸引力と反発力とが発生して流体に不規則な回転渦を発生させる。
【０００９】
（２）本考案は、（１）の装飾装置について、前記流体内に装飾体（例えば、図１の装飾体１２０に相当）を備えたことを特徴とする装飾装置を提案している。
【００１０】
この考案によれば、流体内に装飾体を備えたことから、流体に発生する不規則な回転渦によって装飾体が揺動することにより、装飾効果をより高めることができる。
【００１１】
（３）本考案は、（１）または（２）の装飾装置について、前記多面体のいずれかの面の外側に向けられた永久磁石（例えば、図２の永久磁石１１１に相当）の極性がＮ極、Ｓ極を混在して配置されていることを特徴とする装飾装置を提案している。
【００１２】
この考案によれば、多面体のいずれかの面の外側に向けられた永久磁石の極性がＮ極、Ｓ極を混在して配置されていることから、下部筐体内で回転する永久磁石との間で発生する吸引力と反発力とにより、多面体が不規則に回転する。
【００１３】
（４）本考案は、（１）から（３）の装飾装置について、前記流体は、前記多面体が磁力により回転可能な粘度であることを特徴とする装飾装置を提案している。
【００１４】
この考案によれば、多面体が磁力により回転可能な粘度であることから、多面体は、自由に回転しながら揺動することができる。
【００１５】
（５）本考案は、（１）から（４）の装飾装置について、前記下部筐体内に設けられた永久磁石が、Ｓ極とＮ極とを積層した構造であることを特徴とする装飾装置を提案している。
【００１６】
この考案によれば、下部筐体内に設けられた永久磁石が、Ｓ極とＮ極とを積層した構造であることから、この永久磁石を回転することにより、交互にＳ極とＮ極とが多面体と対向するため、多面体の回転状態によって、多面体が不規則に回転しながら揺動する。
【００１７】
（６）本考案は、（１）から（４）の装飾装置について、前記多面体が立方体であることを特徴とする装飾装置を提案している。
【００１８】
この考案によれば、多面体が立方体である。
【００１９】
（７）本考案は、（１）から（４）の装飾装置について、前記多面体が直方体であることを特徴とする装飾装置を提案している。
【００２０】
この考案によれば、多面体が直方体である。
【００２１】
（８）本考案は、（１）から（４）の装飾装置について、前記シャフトの一端に設けられた第１の歯車（例えば、図５の第１の歯車２４０に相当）と該第１の歯車と噛合う第２の歯車（例えば、図５の第２の歯車２５０に相当）と該第２の歯車を回転させるモータ（例えば、図５のモータ２６０に相当）と該モータに電力を供給する電源（例えば、図５の電源２９０に相当）と電源の供給をコントロールするスイッチ（例えば、図５のスイッチ２８０に相当）とを備えたことを特徴とする装飾装置を提案している。
【００２２】
この考案によれば、シャフトの一端に設けられた第１の歯車と第１の歯車と噛合う第２の歯車と第２の歯車を回転させるモータとモータに電力を供給する電源と電源の供給をコントロールするスイッチとを備えたことから、スイッチの操作によって、自動的に、下部筐体内の永久磁石を回転させることができる。
【００２３】
（９）本考案は、（８）の装飾装置について、前記電源からの電力供給量をコントロールする制御手段（例えば、図５の制御部２７０に相当）を備えたことを特徴とする装飾装置を提案している。
【００２４】
この考案によれば、電源からの電力供給量をコントロールする制御手段を備えたことから、制御手段により下部筐体内の永久磁石の回転速度を自由に変更できるため、多面体をより不規則に回転させることができる。
【考案の効果】
【００２５】
本考案によれば、永久磁石同士の吸引力および反発力により流体に不規則な回転渦を発生させることにより装飾性を高めることができるという効果がある。
【図面の簡単な説明】
【００２６】
【図１】本考案の第１の実施形態に係る装飾装置の外観を示す図である。
【図２】本考案の第１の実施形態に係る多面体の構造を示す図である。
【図３】本考案の第１の実施形態に係る下部筐体内の構造を示す図である。
【図４】本考案の第２の実施形態に係る装飾装置の外観を示す図である。
【図５】本考案の第２の実施形態に係る下部筐体内の構造を示す図である。
【考案を実施するための形態】
【００２７】
以下、本考案の実施形態について、図面を用いて、詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、実用新案登録請求の範囲に記載された考案の内容を限定するものではない。
【００２８】
＜第１の実施形態＞
図１から図３を用いて、本考案の第１の実施形態について説明する。
【００２９】
＜装飾装置の外観＞
図１を用いて、第１の実施形態に係る装飾装置の外観について説明する。
本実施形態に係る装飾装置１０００は、図１に示すように、上部筐体１００と、下部筐体２００と、レバー３００とから構成されている。
【００３０】
上部筐体１００は、半球と円柱とを組み合わせ、内部が空洞である透明な容器からなっている。なお、上部筐体１００、下部筐体２００の形状は、これに限らず、円柱形、球状体、楕円状等であってもよく、図１の形状に限定するものではない。また、容器も内部が視認可能であれば、透明に限らず、半透明であってもよい。さらに、図１では、上部筐体１００の容器の数が１個の場合を例示的に示したが、これに限らず、複数個あってもよい。
【００３１】
上部筐体１００の内部空間は、流体で満たされており、この流体に多面体１１０や装飾体１２０が入れられている。ここで、流体は、水等でよいが、多面体が磁力により回転可能な粘度を有していることが必要である。また、色は透明でなくとも彩色されていてもよい。さらに、多面体は、立方体や直方体等でもよいが、これに限らず、複数の面（平面、曲面を含む）から構成されたものであればよい。
【００３２】
下部筐体２００は、例えば、円柱な容器から構成されている。なお、色は、透明であってもよいし、彩色されたものでもよい。レバー３００は、後述する下部筐体２００内部の永久磁石を回転するためのレバーである。
【００３３】
＜多面体の構造＞
図２を用いて、第１の実施形態に係る多面体の構造について説明する。
本実施形態に係る多面体は、図２に示すように、いずれかの面に永久磁石が設けられている。なお、永久磁石は、多面体の装飾性を満たすように、内部から貼り付けてもよい。
【００３４】
また、多面体のいずれかの面に設けられた永久磁石の極性は、Ｎ極、Ｓ極が混在して配置されている。これにより、下部筐体内で回転する永久磁石との間で発生する吸引力と反発力とにより、多面体が不規則に回転する。なお、多面体の数は自由に変更でき、さらに、照明機能を備えてもよい。
【００３５】
＜下部筐体内の構造＞
図３を用いて、第１の実施形態に係る下部筐体内の構造について説明する。
図３に示すように、下部筐体内には、永久磁石２１０と、シャフト２２０と、保持部材２３０とが備えられている。
【００３６】
ここで、永久磁石２１０は、Ｓ極とＮ極とを積層した構造となっている。シャフト２２０は、永久磁石２１０を保持する。保持部材２３０は、下部筐体２００の下面に固定され、回転自在にシャフト２２０を保持する。
【００３７】
これにより、シャフト２２０を回転させることにより、Ｎ極、Ｓ極とが上部筐体１００に対向するように現れる。そのため、下部筐体２００内の永久磁石２１０の極性と同一の極性を有する上部筐体１００内の多面体１１０の面の永久磁石との間では、反発力が発生し、異なった極性を有する上部筐体１００内の多面体１１０の面の永久磁石との間では、吸引力が発生する。これにより、上部筐体１００内の多面体１１０が回転運動を起こし、さらに、上部筐体１００内の多面体１１０が回転運動を起こすことにより、流体に回転渦が発生して、装飾体１２０が揺動する。
【００３８】
したがって、本実施形態によれば、永久磁石同士の吸引力および反発力により流体に不規則な回転渦を発生させることにより装飾性を高めることができる。なお、シャフトの回転速度を変化させることにより、さらに、不規則な回転運動を生み出すことができる。
【００３９】
＜第２の実施形態＞
図４および図５を用いて、本考案の第２の実施形態について説明する。
【００４０】
＜装飾装置の外観＞
図４を用いて、第２の実施形態に係る装飾装置の外観について説明する。
本実施形態に係る装飾装置１０００は、図４に示すように、上部筐体１００と、下部筐体２００と、スイッチ２８０とから構成されている。
【００４１】
上部筐体１００は、半球と円柱とを組み合わせ、内部が空洞である透明な容器からなっている。なお、上部筐体１００、下部筐体２００の形状は、これに限らず、円柱形、球状体等であってもよく、図４の形状に限定するものではない。また、容器も内部が視認可能であれば、透明に限らず、半透明であってもよい。さらに、図４では、上部筐体１００の容器の数が１個の場合を例示的に示したが、これに限らず、複数個あってもよい。
【００４２】
上部筐体１００の内部空間は、流体で満たされており、この流体に多面体１１０や装飾体１２０が入れられている。ここで、流体は、水等でよいが、多面体が磁力により回転可能な粘度を有していることが必要である。また、色は透明でなくとも彩色されていてもよい。さらに、多面体は、立方体や直方体等でもよいが、これに限らず、複数の面（平面、曲面を含む）から構成されたものであればよい。なお、多面体の数は自由に変更でき、さらに、照明機能を備えてもよい。
【００４３】
下部筐体２００は、例えば、円柱な容器から構成されている。なお、色は、透明であってもよいし、彩色されたものでもよい。スイッチ２８０は、後述する下部筐体２００内部の永久磁石を回転、停止を行うための切り替え部材である。
【００４４】
なお、多面体の構造については、第１の実施形態と同様であるため、その詳細な説明は省略する。
【００４５】
＜下部筐体内の構造＞
図５を用いて、第２の実施形態に係る下部筐体内の構造について説明する。
図５に示すように、下部筐体内には、永久磁石２１０と、シャフト２２０と、保持部材２３０と、第１の歯車２４０と、第２の歯車２５０と、モータ２６０と、制御部２７０と、スイッチ２８０と、電源２９０とが備えられている。
【００４６】
ここで、永久磁石２１０は、Ｓ極とＮ極とを積層した構造となっている。シャフト２２０は、永久磁石２１０を保持する。保持部材２３０は、下部筐体２００の下面に固定され、回転自在にシャフト２２０を保持する。
【００４７】
第１の歯車２４０は、シャフト２２０に連結している。第２の歯車２５０は、モータ２６０の回転軸に連結している。また、第１の歯車２４０と第２の歯車２５０とは、歯車がかみ合った状態になっている。
【００４８】
制御部２７０は、モータ２６０に供給する電力を調整制御する。スイッチ２８０は、制御部２７０と電源２９０との間に配置され、電源の供給を切り替える。
【００４９】
スイッチ２８０がオン状態となると、電源２９０が制御部２７０に供給される。通常モードでは、電源２９０が供給する電力が制御部２７０を介して、モータ２６０に供給される。モータ２６０が回転すると、第２の歯車２５０が回転し、第１の歯車２４０が回転してシャフト２２０が回転することによって、永久磁石２１０が回転する。
【００５０】
一方、可変モードでは、電源２９０が供給する電力が増減して、制御部２７０を介して、モータ２６０に供給される。モータ２６０が回転すると、第２の歯車２５０が回転し、第１の歯車２４０が回転してシャフト２２０が回転することによって、永久磁石２１０が回転する。なお、可変モードの選択は、図示しないスイッチにより行われ、回転速度の調整は、図示しない回転スイッチやスライドスイッチにより行われる。
【００５１】
これにより、シャフト２２０を回転させることにより、Ｎ極とＳ極とが上部筐体１００に対向するように現れる。そのため、下部筐体２００内の永久磁石２１０の極性と同一の極性を有する上部筐体１００内の多面体１１０の面の永久磁石との間では、反発力が発生し、異なった極性を有する上部筐体１００内の多面体１１０の面の永久磁石との間では、吸引力が発生する。これにより、上部筐体１００内の多面体１１０が回転運動を起こし、さらに、上部筐体１００内の多面体１１０が回転運動を起こすことにより、流体に回転渦が発生して、装飾体１２０が揺動する。
【００５２】
したがって、本実施形態によれば、永久磁石同士の吸引力および反発力により流体に不規則な回転渦を発生させることにより装飾性を高めることができる。なお、シャフトの回転速度を変化させることにより、さらに、不規則な回転運動を生み出すことができる。
【００５３】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００５４】
１００；上部筐体
１１０；多面体
１２０；装飾体
２００；下部筐体
２１０；永久磁石
２２０；シャフト
２３０；保持部材
２４０；第１の歯車
２５０；第２の歯車
２６０；モータ
２７０；制御部
２８０；スイッチ
２９０；電源
３００；レバー
１０００；装飾装置
【図１】
0003164058.tif 000003
【図２】
0003164058.tif 000004
【図３】
0003164058.tif 000005
【図４】
0003164058.tif 000006
【図５】
0003164058.tif 000007